(57)【要約】【課題】  チャタリングの発生を防止することができ、且つ機械的に動作可能な貯水槽の水位自動制御装置を提供すること。【解決手段】  本発明の水位自動制御装置４は、給水弁10とピストンポンプ20とパイロット弁30を備える。給水弁10は、フロート弁からなり、貯水槽１の水位が第１設定水位Ｌ1に到達したとき貯水槽１の給水管２を閉じるものである。ピストンポンプ20は、シリンダ22内の吸入水Ｗ1をピストン21の吐出動作によってシリンダ22の吐出管23を通じて吐出するものである。パイロット弁30は、貯水槽１の水位が第１設定水位Ｌ1よりも低い第２設定水位Ｌ2に到達したとき吐出管23を閉じるものである。そして、ピストンポンプは20、給水弁10のフロート14の昇動作及び降動作に伴ってピストン21がそれぞれ吸入動作及び吐出動作するように、ピストン21がピストンロッド25を介して給水弁10に連結されている。【選択図】      図１
2005099895.tif 000002
【特許請求の範囲】
【請求項１】
貯水槽に水を供給する給水管に設けられ、貯水槽の水位の変動に伴って第１フロートが昇降動作することにより前記給水管を開閉するとともに、貯水槽の水位が第１設定水位未満のとき前記給水管を開け、貯水槽の水位が前記第１設定水位以上のとき前記給水管を閉じるものとなされた給水弁と、
互いに対応するピストン及びシリンダを有し、前記ピストンの吸入動作により前記シリンダ内に貯水槽の水を吸入する一方、前記ピストンの吐出動作により前記シリンダ内の吸入水を前記シリンダに設けられた吐出管を通じて吐出するピストンポンプと、
前記ピストンポンプの吐出管に設けられ、貯水槽の水位の変動に伴って第２フロートが昇降動作することにより前記吐出管を開閉するとともに、貯水槽の水位が前記第１設定水位よりも低い第２設定水位未満のとき前記吐出管を開け、貯水槽の水位が前記第２設定水位以上のとき前記吐出管を閉じるものとなされたパイロット弁と、を備え、
前記ピストンポンプは、前記給水弁の第１フロートの昇動作及び降動作に伴って前記ピストンがそれぞれ吸入動作及び吐出動作するように、前記ピストンがピストンロッドを介して前記給水弁に連結されていることを特徴とする貯水槽の水位自動制御装置。
【請求項２】
前記吐出管に第１逆流防止弁が設けられている請求項１記載の貯水槽の水位自動制御装置。
【請求項３】
前記ピストンポンプのシリンダに吸入管が設けられ、前記ピストンの吸入動作により前記シリンダ内に貯水槽の水が前記吸入管を通じて吸入されるものとなされるとともに、
前記吸入管に第２逆流防止弁が設けられている請求項１又は２記載の貯水槽の水位自動制御装置。
【請求項４】
前記吐出管に、該吐出管を流れる水の流量を調節する流量調節弁が設けられている請求項１〜３のいずれか１項記載の貯水槽の水位自動制御装置。
【請求項５】
請求項１〜４のいずれか１項記載の水位自動制御装置を備えていることを特徴とする貯水槽。
【発明の詳細な説明】
【技術分野】
【０００１】
この発明は、上水、下水、工水、農水等の水を貯める貯水槽の水位自動制御装置及びこれを備えた貯水槽に関する。
【背景技術】
【０００２】
従来の貯水槽の水位自動制御装置は、貯水槽に水を供給する給水管の開閉を行う給水弁を備えている。この給水弁は、一般にフロート作動型のものであり、すなわち、貯水槽の水位の変動に伴ってフロートが昇降動作することにより給水管を開閉するとともに、貯水槽の水位が低水位のとき給水管を開け、貯水槽の水位が低水位から上昇して設定水位（満水水位）に到達したとき給水管を閉じるものとなされている（例えば特許文献１参照。）。
【０００３】
この水位自動制御装置は、貯水槽の水位が常時、設定水位（満水水位）に維持されるように水位を自動制御できるという利点を有している。
【特許文献１】実公昭６２−４７８０号公報（請求項１、第１−３図）
【発明の開示】
【発明が解決しようとする課題】
【０００４】
しかしながら、上述した従来の水位自動制御装置によれば、貯水槽から排出される水の排出量が少量で且つ水が連続的に排出される場合には、給水弁が頻繁に開閉動作を繰り返すというチャタリング現象が発生し、その結果、水位自動制御装置が故障・損傷したり、あるいは騒音が発生するという難点があった。
【０００５】
また一般に、このような水位自動制御装置が設けられる貯水槽は、電気を使用できる場所はもとより、山奥等の電気を使用できない場所にも設置される場合があることから、水位自動制御装置は電動式ではなく機械的に動作するものであることが望ましい。
【０００６】
この発明は、上述した技術背景に鑑みてなされたもので、その目的は、チャタリングの発生を防止することができ、且つ機械的に動作可能な貯水槽の水位自動制御装置及びこれを備えた貯水槽を提供することにある。
【課題を解決するための手段】
【０００７】
上記目的を達成するため、本発明に係る貯水槽の水位自動制御装置は、貯水槽に水を供給する給水管に設けられ、貯水槽の水位の変動に伴って第１フロートが昇降動作することにより前記給水管を開閉するとともに、貯水槽の水位が第１設定水位未満のとき前記給水管を開け、貯水槽の水位が前記第１設定水位以上のとき前記給水管を閉じるものとなされた給水弁と、互いに対応するピストン及びシリンダを有し、前記ピストンの吸入動作により前記シリンダ内に貯水槽の水を吸入する一方、前記ピストンの吐出動作により前記シリンダ内の吸入水を前記シリンダに設けられた吐出管を通じて吐出するピストンポンプと、前記ピストンポンプの吐出管に設けられ、貯水槽の水位の変動に伴って第２フロートが昇降動作することにより前記吐出管を開閉するとともに、貯水槽の水位が前記第１設定水位よりも低い第２設定水位未満のとき前記吐出管を開け、貯水槽の水位が前記第２設定水位以上のとき前記吐出管を閉じるものとなされたパイロット弁と、を備え、前記ピストンポンプは、前記給水弁の第１フロートの昇動作及び降動作に伴って前記ピストンがそれぞれ吸入動作及び吐出動作するように、前記ピストンがピストンロッドを介して前記給水弁に連結されていることを特徴としている（請求項１）。
【０００８】
この貯水槽の水位自動制御装置は、次のように動作する。
【０００９】
＜水位自動制御装置の動作＞
この水位自動制御装置では、貯水槽の水位が低水位から上昇するのに伴って第１フロートが昇動作することにより、ピストンポンプのピストンが吸入動作されてシリンダ内に貯水槽の水が吸入されるとともに、貯水槽の水位が低水位から上昇して第２設定水位に到達したとき、ピストンポンプの吐出管がパイロット弁により閉じられる。貯水槽の水位が更に上昇して第１設定水位に到達したとき、給水管が給水弁により閉じられるものとなる。      
【００１０】
一方、貯水槽の水位が第１設定水位から下降して第２設定水位に到達するまでの間、ピストンポンプの吐出管がパイロット弁により閉じられた状態に維持され、これにより、ピストンポンプのピストンの吐出動作及び給水弁の第１フロートの降動作が順次阻止されて、給水管が閉状態に維持される。貯水槽の水位が更に下降して第２設定水位未満になったとき、ピストンポンプの吐出管がパイロット弁により開けられ、これにより、ピストンポンプのピストンの吐出動作及び給水弁の第１フロートの降動作が順次許容されて、給水管が開けられるものとなる。
【００１１】
而して、この水位自動制御装置によれば、貯水槽の水位が第１設定水位（例えば満水水位）から下降して第２設定水位に到達するまでの間、給水管が閉状態に維持されることから、貯水槽の水位が第１設定水位であって当該貯水槽から排出される水の排出量が少量で且つ水が連続して排出される場合であっても、チャタリングが発生しない。そのため、チャタリングの発生に伴う水位自動制御装置の故障・損傷や騒音を防止することができる。
【００１２】
さらに、この水位自動制御装置は、電動式のものではなく、機械的に動作するものであるから、電気を使用することができる場所はもとより、山奥等の電気を使用できない場所であっても、これを使用することができる。
【００１３】
また、上記水位自動制御装置において、吐出管に第１逆流防止弁が設けられていることが望ましい（請求項２）。
【００１４】
この場合には、吐出管を吐出方向に流れる水の逆流が第１逆流防止弁により防止される。そのため、水位自動制御装置を確実に正常に動作させることができる。
【００１５】
また、上記水位自動制御装置において、ピストンポンプのシリンダに吸入管が設けられ、ピストンの吸入動作によりシリンダ内に貯水槽の水が吸入管を通じて吸入されるものとなされるとともに、吸入管に第２逆流防止弁が設けられていることが望ましい（請求項３）。
【００１６】
この場合には、吸入管を吸入方向に流れる水の逆流が第２逆流防止弁により防止される。そのため、水位自動制御装置を確実に正常に動作させることができる。
【００１７】
また、上記水位自動制御装置において、吐出管に、該吐出管を流れる水の流量を調節する流量調節弁が設けられていることが望ましい（請求項４）。
【００１８】
この場合には、次のような作用を奏する。
【００１９】
すなわち、この水位自動制御装置では、貯水槽の水位が下降して第２設定水位未満になったとき、吐出管はパイロット弁により開けられ、これにより、ピストンポンプのシリンダ内の吸入水が吐出管を通じて吐出される。このとき、吐出管を流れる水の流速が速い（即ち、単位時間当たりの流量が多い）と、シリンダ内の吸入水が一気に流出可能となってピストンが急速に吐出動作し、その結果、給水弁が急激に閉位置から開位置へと動作する。このような給水弁の急激な動作によって、水位自動制御装置が故障・損傷する虞がある。そこで、この不具合を解消するために、上記水位自動制御装置において、吐出管に、該吐出管を流れる水の流量（流速）を調節する流量調節弁を設けた。この場合によれば、吐出管を流れる水の流量を流量調節弁によって調節することにより、給水弁の急激な動作に伴う水位自動制御装置の故障・損傷を防止することができる。
【００２０】
本発明に係る貯水槽は、上記水位自動制御装置を備えていることを特徴としている（請求項５）。
【００２１】
この場合には、チャタリングの発生を防止することができ、且つ機械的に動作可能な水位自動制御装置を備えた貯水槽を提供できる。
【発明の効果】
【００２２】
本発明に係る貯水槽の水位自動制御装置によれば、貯水槽の水位が第１設定水位から下降して第２設定水位に到達するまでの間、給水管が閉状態に維持されることから、チャタリングが発生しない。そのため、チャタリングの発生に伴う水位自動制御装置の故障・損傷や騒音を防止することができる。
【００２３】
さらに、この水位自動制御装置は、電動式のものではなく、機械的に動作するものであるから、電気を使用することができる場所はもとより、山奥等の電気を使用できない場所であっても、これを使用することができる。
【００２４】
また、上記水位自動制御装置において、吐出管に第１逆流防止弁が設けられている場合には、水位自動制御装置を確実に正常に動作させることができる。
【００２５】
また、上記水位自動制御装置において、ピストンポンプのシリンダに所定の吸入管が設けられるとともに、該吸入管に第２逆流防止弁が設けられている場合には、水位自動制御装置を確実に正常に動作させることができる。
【００２６】
また、上記水位自動制御装置において、吐出管に、該吐出管を流れる水の流量を調節する流量調節弁が設けられている場合には、吐出管を流れる水の流量を流量調節弁によって調節することにより、給水弁の急激な動作に伴う水位自動制御装置の故障・損傷を防止することができる。
【００２７】
本発明に係る貯水槽によれば、チャタリングの発生を防止することができるし、電気を使用することができる場所はもとより、山奥等の電気を使用できない場所であっても、貯水槽を設置することができる。
【発明を実施するための最良の形態】
【００２８】
次に、本発明の好ましい一実施形態について説明する。
【００２９】
図１において、（１）は本発明の一実施形態に係る貯水槽である。この貯水槽（１）は、該貯水槽（１）に水を供給する給水管（２）と、貯水槽（１）に貯められた水を排出する排水管（３）と、貯水槽（１）に貯められる水の水位を自動制御する水位自動制御装置（４）とを備えている。
【００３０】
図１に示すように、水位自動制御装置（４）は、給水弁（10）と、ピストンポンプ（20）と、パイロット弁（30）とを備えている。
【００３１】
前記給水弁（10）は、フロート弁からなるものであり、詳述するとフロート作動式バタフライ弁からなるものであり、給水管（２）に設けられている。この給水弁（10）は、弁箱（11）と、該弁箱（11）内に弁棒（12）を介して回動自在に設けられたバタフライ弁体（13）と、該弁体（13）を開閉動作させる第１フロート（14）とを備えている。第１フロート（14）は、弁体（13）を開閉動作させる操作レバー棒としての剛性を有する第１フロートロッド（15）を介して、弁体（13）又は弁棒（12）に連結されている。この第１フロートロッド（15）の先端部は弁体（13）又は弁棒（12）にギヤ（図示せず）を介して又はこれを介さないで連結されており、一方、該第１フロートロッド（15）の基端部には前記第１フロート（14）が設けられている。そして、給水弁（10）の弁箱（11）が給水管（２）の先端部の給水口に取り付けられている。
【００３２】
この給水弁（10）は、貯水槽（１）の水位の変動に伴って第１フロート（14）が昇動作及び降動作することにより、弁体（13）が第１フロート（14）の第１フロートロッド（15）を介して弁棒（12）を中心にそれぞれ閉方向及び開方向に移動（回転）し、これにより、該弁体（13）で給水管（２）を開閉するものとなされている。さらに、この給水弁（10）は、貯水槽（１）の水位が低水位のとき給水管（２）を開け（図１参照。）、貯水槽（１）の水位が低水位から上昇するのに伴って第１フロート（14）が昇動作することにより、弁体（13）が閉方向に移動（回転）し（図２参照。）、そして貯水槽（１）の水位が第１設定水位（Ｌ1）に到達したとき給水管（２）を完全に閉じる（図３参照。）ように設定されている。
【００３３】
前記ピストンポンプ（20）は、貯水槽（１）内における給水弁（10）の第１フロート（14）の下方位置に配置されており、給水弁（10）の弁箱（11）に取り付けられた固定用板部（５）に固定状態に取り付けられている。このピストンポンプ（20）は、互いに対応するピストン（21）及びシリンダ（22）を有している。シリンダ（22）には吐出管（23）と吸入管（24）がそれぞれ設けられている。そして、このピストンポンプ（20）は、ピストン（21）の吸入動作によってシリンダ（22）内に貯水槽（１）の水（Ｗ）を吸入管（24）を通じて吸入する一方、シリンダ（22）内に吸入された吸入水（Ｗ1）（以下、「シリンダ（22）内の吸入水（Ｗ1）」という。）をピストン（21）の吐出動作によって吐出管（23）を通じて貯水槽（１）に吐出するものとなされている。
【００３４】
前記パイロット弁（30）は、フロート作動型のものであり、貯水槽（１）内に配置されており、ピストンポンプ（20）の吐出管（23）の下流側の部分（即ち、吐出口）に設けられている。詳述すると、このパイロット弁（30）は、弁体（31）と、該弁体（31）を開閉動作させる第２フロート（32）とを備えている。第２フロート（32）は、弁体（31）を開閉動作させる操作レバー棒としての剛性を有する第２フロートロッド（33）を介して、弁体（31）に連結されている。第２フロートロッド（33）の先端部は弁体（31）に連結されており、一方、該第２フロートロッド（33）の基端部には第２フロート（32）が設けられている。
【００３５】
このパイロット弁（30）は、貯水槽（１）の水位の変動に伴って第２フロート（32）が昇動作及び降動作することにより、弁体（31）が第２フロート（32）の第２フロートロッド（33）を介してそれぞれ閉方向及び開方向に移動し、これにより、該弁体（31）で吐出管（23）を開閉するものとなされている。さらに、このパイロット弁（30）は、貯水槽（１）の水位が低水位のとき吐出管（23）を開け、貯水槽（１）の水位が低水位から上昇するのに伴って第２フロート（32）が昇動作し、水位が上昇して前記第１設定水位（Ｌ1）よりも低い第２設定水位（Ｌ2）に到達したとき、吐出管（23）を完全に閉じるように設定されている。
【００３６】
前記ピストンポンプ（20）において、吐出管（23）におけるパイロット弁（30）よりも上流側の部分には、該吐出管（23）を吐出方向に流れる水の逆流を防止する第１逆流防止弁（26）が設けられている。また、吸入管（24）には、該吸入管（24）を吸入方向に流れる水の逆流を防止する第２逆流防止弁（27）が設けられている。また、吐出管（23）における第１逆流防止弁（26）の下流側で且つパイロット弁（30）の上流側の部分には、流量調節弁（28）が設けられている。この流量調節弁（28）は、吐出管（23）を吐出方向に流れる水の流量を調節するためのものであり、通常、常時、開状態になっている。
【００３７】
さらに、ピストンポンプ（20）は、剛性を有するピストンロッド（25）を有している。そして、ピストンポンプ（20）のピストン（21）は、給水弁（10）の第１フロート（14）の昇動作及び降動作に伴ってそれぞれ吸入動作及び吐出動作するように、ピストンロッド（25）を介して給水弁（10）に連結されている。その構成を詳述すると、ピストンロッド（25）の一端部（下端部）がピストン（21）にピン（21a）で軸着されるとともに、該ピストンロッド（25）の他端部（上端部）が給水弁（10）の第１フロート（14）の第１フロートロッド（15）の軸方向中間部にピン（25b）で軸着されている。
【００３８】
そして、このピストンポンプ（20）では、給水弁（10）の第１フロート（14）が上昇すると（図３参照。）、その第１フロートロッド（15）の基端部が上側に移動するとともに弁体（13）が閉方向に移動（回転）する。この第１フロート（14）の上昇又は第１フロートロッド（15）の基端部の上側への移動によって、ピストン（21）がピストンロッド（25）を介して上側に引っ張られて（即ち上昇されて）吸入動作される。一方、上昇した第１フロート（14）が下降すると（図１参照。）、その第２フロートロッド（15）の基端部が下側に移動するとともに弁体（13）が開方向に移動（回転）する。この第１フロート（14）の下降又は第１フロートロッド（15）の基端部の下側への移動によって、ピストン（21）がピストンロッド（25）を介して下側へ押されて（即ち下降されて）吐出動作される。以上のようにピストン（21）がピストンロッド（25）を介して給水弁（10）に連結されている。
【００３９】
而して、本実施形態の貯水槽の水位自動制御装置（４）は、次のように動作する。
【００４０】
まず、図１に示すように、貯水槽（１）の水位が低水位のとき、給水弁（10）の弁体（13）は開位置にあり、つまり給水管（２）は開いている。したがって、給水管（２）から水が貯水槽（１）に供給される。また同じく、パイロット弁（30）の弁体（31）は開位置にあり、つまりピストンポンプ（20）の吐出管（23）は開いている。
【００４１】
給水管（２）からの水の供給によって、貯水槽（１）の水位が徐々に上昇する。この水位の上昇に伴って給水弁（10）の第１フロート（14）とパイロット弁（30）の第２フロート（32）がそれぞれ昇動作する。この給水弁（10）の第１フロート（14）の昇動作により、該給水弁（10）の弁体（13）が閉方向に移動（回転）するとともに、ピストンポンプ（20）のピストン（21）がピストンロッド（25）を介して上側に引っ張られて（上昇されて）吸入動作される。さらに、このピストン（21）の吸入動作により、シリンダ（22）内に貯水槽（１）の水（Ｗ）が吸入管（24）を通じて吸入される。また、パイロット弁（30）の第２フロート（32）の昇動作により、該パイロット弁（30）の弁体（31）が閉方向に移動する。
【００４２】
そして、図２に示すように、貯水槽（１）の水位が第２設定水位（Ｌ2）に到達すると、吐出管（23）がパイロット弁（30）により完全に閉じられる。
【００４３】
図３に示すように、貯水槽（１）の水位が更に上昇して第１設定水位（Ｌ1）（満水水位）に到達すると、給水管（２）が給水弁（10）により完全に閉じられ、水の貯水槽（１）への供給が停止される。このとき、ピストンポンプ（20）のピストン（21）は最高高さ（下死点）に位置し、シリンダ（22）内の吸入水（Ｗ1）の容積が最大容積になっている。一方、このとき貯水槽（１）の水位は第２設定水位（Ｌ2）よりも上に位置していることから、パイロット弁（30）の第２フロート（32）は水中に位置し、そのため吐出管（23）はパイロット弁（30）により閉じられた状態に維持されている。
【００４４】
この満水状態の貯水槽（１）の水（Ｗ）が排水管（３）から排出されると、図４に示すように、貯水槽（１）の水位が下降し、これに伴い、給水弁（10）の第１フロート（14）が降作動しようとする。しかしながら、貯水槽（１）の水位は、まだ第２設定水位（Ｌ2）よりも上に位置していることから、パイロット弁（30）の第２フロート（32）は水中に位置し、そのため吐出管（23）がパイロット弁（30）により閉じられた状態に維持されている。このように吐出管（23）が閉状態に維持されることによって、ピストンポンプ（20）はシリンダ（22）内の吸入水（Ｗ1）を吐出することができず、そのためピストン（21）の吐出動作が阻止される。さらに、このようにピストン（21）の吐出動作が阻止されることにより、給水弁（10）の第１フロート（14）の降動作も阻止され、そのため給水管（２）が閉状態に維持される。以上のように、この水位自動制御装置（４）では、吐出管（23）がパイロット弁（30）により閉じられた状態に維持されることによって、ピストンポンプ（20）のピストン（21）の吐出動作及び給水弁（10）の第１フロート（14）の降動作が順次阻止されて、給水管（２）が閉状態に維持される。なお、貯水槽（１）の水位が第２設定水位（Ｌ2）に到達するまでの間、この給水管（２）は閉状態に維持される。
【００４５】
そして、図１に示すように、貯水槽（１）の水位が更に下降して第２設定水位（Ｌ2）未満になったとき、パイロット弁（30）の第２フロート（32）が降作動し、吐出管（23）がパイロット弁（30）により開けられる。これにより、ピストンポンプ（20）ではシリンダ（22）内の吸入水（Ｗ1）を吐出できるようになり、そのためピストン（21）の吐出動作が許容され、このピストン（21）の吐出動作によりシリンダ（22）内の吸入水（Ｗ1）が吐出管（23）を通じて貯水槽（１）に吐出される。さらに、このようにピストン（21）の吐出動作が許容されることにより、給水弁（10）の第１フロート（14）の降作動も許容され、その結果、給水管（２）が給水弁（10）により開けられる。以上のように、この水位自動制御装置（４）では、ピストンポンプ（20）の吐出管（23）がパイロット弁（31）により開けられることによって、シリンダポンプ（20）のピストン（21）の吐出動作及び給水弁（10）の第１フロート（14）の降動作が順次許容されて、給水管（２）が開けられる。そして、こうして給水管（２）が開けられることにより、給水管（２）から水が貯水槽（１）に供給されるようになる。
【００４６】
而して、上記水位自動制御装置（４）によれば、貯水槽（１）の水位が第１設定水位（Ｌ1）から下降して第２設定水位（Ｌ2）に到達するまでの間、給水管（２）が閉状態に維持されることから、貯水槽（１）の水位が第１設定水位（Ｌ1）であって当該貯水槽（１）から排出される水の排出量が少量で且つ水が連続して排出される場合であっても、チャタリングが発生しない。そのため、チャタリングの発生に伴う水位自動制御装置（４）の故障・損傷や騒音を防止することができる。
【００４７】
さらに、この水位自動制御装置（４）は、電動式のものではなく、機械的に動作するものであるから、電気を使用することができる場所はもとより、山奥等の電気を使用できない場所であっても、これを使用することができる。
【００４８】
さらに、ピストンポンプ（20）の吐出管（23）には第１逆流防止弁（26）が設けられているので、吐出管（23）を吐出方向に流れる水の逆流を第１逆流防止弁（26）によって防止することができる。そのため、水位自動制御装置（４）を確実に正常に動作させることができる。
【００４９】
その上、ピストンポンプ（20）の吸入管（23）には第２逆流防止弁（27）が設けられているので、吸入管（24）を吸入方向に流れる水の逆流を第２逆流防止弁（27）によって防止することができる。そのため、水位自動制御装置（４）を更に確実に正常に動作させることができる。
【００５０】
しかも、ピストンポンプ（20）の吐出管（23）には流量調節弁（28）が設けられているので、上記水位自動制御装置（４）は次のような作用を奏する。
【００５１】
すなわち、この水位自動制御装置（４）では、上述したように、貯水槽（１）の水位が第２設定水位（Ｌ2）未満になったとき、吐出管（23）はパイロット弁（30）により開けられ、これにより、ピストンポンプ（20）のシリンダ（22）内の吸入水（Ｗ1）が吐出管（23）を通じて吐出される。このとき、吐出管（23）を流れる水の流速が速い（即ち流量が多い）と、シリンダ（22）内の吸入水（Ｗ1）が一気に流出してピストン（21）が急速に吐出動作し、その結果、給水弁（10）が急激に閉位置から開位置へと動作する。このような給水弁（10）の急激な動作によって水位自動制御装置（４）が故障・損傷するという不具合が生じる。そこで、この不具合を解消するために、吐出管（23）に流量調節弁（28）が設けられている。したがって、この水位自動制御装置（４）によれば、吐出管（23）を流れる水の流量を流量調節弁（28）によって予め調節しておくことにより、給水弁（23）の急激な動作に伴う水位自動制御装置（４）の故障・損傷を防止することができる。
【００５２】
以上で、本発明の好ましい一実施形態について説明したが、本発明は上記実施形態に示したものに限定されるものではなく、様々に設定変更可能であることを言うまでもない。
【産業上の利用可能性】
【００５３】
本発明に係る貯水槽の水位自動制御装置は、上水、下水、工水、農水等の水を貯める貯水槽に適用可能である。
【００５４】
本発明に係る貯水槽は、上水、下水、工水、農水等の水を貯める貯水槽として利用可能である。
【図面の簡単な説明】
【００５５】
【図１】本発明の一実施形態に係る貯水槽を示す、水位が低水位のときの断面図である。
【図２】同貯水槽の水位が上昇して第２設定水位に到達したときの断面図である。
【図３】同貯水槽の水位が更に上昇して第１設定水位に到達したときの断面図である。
【図４】同貯水槽の水位が第１設定水位から下降したときの断面図である。
【符号の説明】
【００５６】
１：貯水槽
２：給水管
４：水位自動制御装置
10：給水弁
13：弁体
14：第１フロート
15：第１フロートロッド
20：ピストンポンプ
21：ピストン
22：シリンダ
23：吐出管
24：吸入管
25：ピストンロッド
26：第１逆流防止弁
27：第２逆流防止弁
28：流量調節弁
30：パイロット弁
32：第２フロート
Ｌ1：第１設定水位
Ｌ2：第２設定水位
Ｗ：貯水槽の水
Ｗ1：シリンダ内の吸入水
【図１】
2005099895.tif 000003
【図２】
2005099895.tif 000004
【図３】
2005099895.tif 000005
【図４】
2005099895.tif 000006